(57)【特許請求の範囲】
【請求項１】
左右の縦枠の上端間に上横枠を架設すると共に左右の縦枠の互いに対向する内側面の上部間に上横桟を架設してドア枠を構成し、該ドア枠の上横桟より下をドアが開閉自在に取付られるドア枠部とすると共にドア枠の上横桟より上をガラス窓枠部とし、縦枠の内側面及び上横枠の下面、上横桟の上下面の各長手方向に嵌め込み凹部を形成し、上記縦枠の内側面、上横枠の下面、上横桟の上下面の各長手方向に形成した嵌め込み凹部に戸当たり桟、ガラス受け桟に設けた嵌め込み凸部を嵌着することでドア枠部に戸当たり桟を取付けると共にガラス枠部にガラス受け桟を取付け、上記ガラス受け桟が上記戸当たり桟と同じ部材を切断したものであり且つ戸当たり桟、ガラス受け桟の前面側に弾性を有するクッション部を設け、上横桟の上面及び上横枠の下面の嵌め込み凹部よりも前位置にそれぞれ溝巾がガラスよりも巾広のガラス嵌め込み用溝を設け、ガラスを上下のガラス嵌め込み溝に嵌め込んで仮支持すると共にガラス受け桟の前面側に設けたクッション部にガラスの後面端部を支持させた状態で、左右の縦枠の内側面と上記ガラスとのなすコーナ部分にモール材を配置してモール材を縦枠に取付けることを特徴とするガラス窓部付きドア枠。
【請求項２】
戸当たり桟、ガラス受け桟の前面側に弾性を有するクッション部を設け、ガラス受け桟の前面側に設けたクッション部にガラスの後面端部を支持させた状態で、ガラスの前面端部にモール材を当てて、固着具をガラス窓枠部の前方から斜め後方に向けて打ち込んでガラス受け桟を縦枠に固着して、モール材の後面端部をガラスの前面端部に押接して成ることを特徴とする請求項１記載のガラス窓部付きドア枠。
【発明の詳細な説明】
【技術分野】
【０００１】
本発明は、ガラス窓部付きドア枠に関するものである。
【背景技術】
【０００２】
従来から、ドア枠の上部がガラス窓部となっているガラス窓部付きドア枠が特許文献１等により知られている。
【０００３】
上記特許文献１に示された従来例は、左右の縦枠の上端間に上横枠を架設すると共に左右の縦枠の互いに対向する内側面の上部間に上横桟を架設してドア枠を構成し、該ドア枠の上横桟より下をドアが開閉自在に取付られるドア枠部とすると共にドア枠の上横桟より上をガラス窓枠部とし、ドア枠部において左右の縦枠の一方にドアを開閉自在に取付けると共に、ドア枠部において縦枠の内側面及び上横桟の下面にそれぞれドアを閉じた際にドアの後面端部が当接する戸当たり桟を取付け、ガラス窓枠部において縦枠の内側面、上横枠の下面、上横桟の上面にガラス受け桟を取付け、該ガラス受け桟の前面にガラスの後面端部を支持させた状態で、ガラスの前面端部にモール材を当てて該モール材を縦枠の内側面、上横枠の下面、上横桟の上面に取付けたものである。
【０００４】
この従来例にあっては、戸当たり桟とは別の断面形状をしたガラス受け桟を必要とし、このため、部材の種類が増え、コストアップの原因になるという問題があり、また、戸当たり桟とガラス受け桟との形状が違うため、ドア枠部における戸当たり桟とガラス窓枠部におけるガラス受け桟の外観の統一感がなく、外観も悪いという問題がある。
【特許文献１】特開２００４−３２４２９２号公報
【発明の開示】
【発明が解決しようとする課題】
【０００５】
本発明は上記の従来の問題点に鑑みて発明したものであって、ドア枠部における戸当たり桟とガラス窓枠部におけるガラス受け桟を共通の部材を用いて形成でき、コストダウンが図れると共に、施工性及び外観の統一感に優れたガラス窓部付きドア枠を提供することを課題とするものである。
【課題を解決するための手段】
【０００６】
上記課題を解決するために本発明に係るガラス窓部付きドア枠は、左右の縦枠１の上端間に上横枠２を架設すると共に左右の縦枠１の互いに対向する内側面の上部間に上横桟３を架設してドア枠４を構成し、該ドア枠４の上横桟３より下をドア５が開閉自在に取付られるドア枠部６とすると共にドア枠４の上横桟３より上をガラス窓枠部７とし、縦枠１の内側面及び上横枠２の下面、上横桟３の上下面の各長手方向に嵌め込み凹部１２を形成し、上記縦枠１の内側面、上横枠２の下面、上横桟３の上下面の各長手方向に形成した嵌め込み凹部１２に戸当たり桟８、ガラス受け桟１０に設けた嵌め込み凸部１３を嵌着することでドア枠部６に戸当たり桟８を取付けると共にガラス枠部７にガラス受け桟１０を取付け、上記ガラス受け桟１０が上記戸当たり桟８と同じ部材を切断したものであり且つ戸当たり桟８、ガラス受け桟１０の前面側に弾性を有するクッション部１４を設け、上横桟３の上面及び上横枠２の下面の嵌め込み凹部１２よりも前位置にそれぞれ溝巾がガラス９よりも巾広のガラス嵌め込み用溝１６を設け、ガラス９を上下のガラス嵌め込み溝１６に嵌め込んで仮支持すると共にガラス受け桟１０の前面側に設けたクッション部１４にガラスの後面端部を支持させた状態で、左右の縦枠１の内側面と上記ガラス９とのなすコーナ部分にモール材１１を配置してモール材１１を縦枠１に取付けることを特徴とするものである。
【０００７】
このような構成とすることで、ガラス窓枠部７に取付けるガラス受け桟１０として、ドア枠部６に取付ける戸当たり桟８と同じ部材を切断して利用することで、部材の種類を削減できることになり、施工にあたっても、戸当たり桟８、ガラス受け桟１０のいずれも、嵌め込み凹部１２に嵌め込み凸部１３を嵌め込むということで取付けができて、組み立て作業性が向上し、また、組み立て完了後において、ガラス窓枠部７に取付けたガラス受け桟１０と、ドア枠部６に取付けた戸当たり桟８とが同じ外観となり、外観の統一性が図れることになる。また、上横桟３の上面及び上横枠２の下面の嵌め込み凹部１２よりも前位置にそれぞれ溝巾がガラス９よりも巾広のガラス嵌め込み用溝１６を設け、ガラス９を上下のガラス嵌め込み溝１６に嵌め込んで仮支持すると共にガラス受け桟１０の前面側に設けたクッション部１４にガラス９の後面端部を支持させた状態で、左右の縦枠１の内側面と上記ガラス９とのなすコーナ部分にモール材１１を配置してモール材１１を縦枠１に取付けるので、ガラス９をガラス９よりも巾広のガラス嵌め込み用溝１６に嵌め込み、モール材１１を取付けることで、モール材１１によるガラス９の押接をクッション部１４で吸収できてガラス９が破損することなくがたつかないように取付けることができる。
【０００８】
また、戸当たり桟８、ガラス受け桟１０の前面側に弾性を有するクッション部１４を設け、ガラス受け桟１０の前面側に設けたクッション部１４にガラス９の後面端部を支持させた状態で、ガラス９の前面端部にモール材１１を当てて、固着具１５をガラス窓枠部７の前方からそれぞれ斜め後方に向けて打ち込んで少なくともガラス受け桟１０を縦枠１に固着して、モール材１１の後面端部をガラス９の前面端部に押接することが好ましい。
【０００９】
このような構成とすることで、固着具１５をガラス窓枠部７の前方からそれぞれ斜め後方に向けて打ち込むことで、ガラス受け桟１０が縦枠１側及びガラス９側に強く押付けられるようにして固着されるのであるが、この場合、戸当たり桟８に必要な気密及びドア５を閉じた際の衝撃吸収のための弾性を有するクッション部１４と同じクッション部１４がガラス受け桟１０の前面側に存在して、該クッション部１４にガラス９の後面端部を支持させてあるので、上記のように固着具１５を斜め後方に打ち込むことでガラス９側に強く押付けても、クッション部１４で吸収できてガラス９が破損することなくがたつかないように取付けることができる。
【発明の効果】
【００１０】
本発明は、上記のように構成したので、ドア枠部における戸当たり桟とガラス窓枠部におけるガラス受け桟を共通の部材を用いて形成でき、部材の種類を少なくできてコストダウンが図れ、また、戸当たり桟とガラス受け桟の取付けが同じ取付け方により取付けることができて組み立て性に優れており、ガラス窓枠部に取付けたガラス受け桟と、ドア枠部に取付けた戸当たり桟とが同じ外観となり、外観の統一性が優れている。また、ガラスを破損することなくがたつかないように取付けることができる。
【発明を実施するための最良の形態】
【００１１】
以下、本発明を添付図面に示す実施形態に基いて説明する。
【００１２】
ドア枠４は、上下に長い一本ものの左右の縦枠１の上端間に上横枠２を架設すると共に左右の縦枠１の互いに対向する内側面の上部間に上横桟３を架設して構成してあり、このドア枠４の上横桟３より下をドア５が開閉自在に取付られるドア枠部６とすると共にドア枠４の上横桟３より上をガラス窓枠部７としてある。
【００１３】
なお、図１の実施形態では、左右の縦枠１の下端間に下横枠を架設しない門型のドア枠４の例を示しているが、左右の縦枠１の下端間に下横枠を架設したものであってもよい。
【００１４】
上下に長い一本ものの左右の縦枠１の対向内側面の前後方向の略中間には上下全長にわたって嵌め込み凹部１２が凹設してある。また、上横枠２の下面の前後方向の略中間、上横桟３の上面及び下面の前後方向の略中間にもそれぞれ左右方向の全長にわたってそれぞれ嵌め込み凹部１２が凹設してある。上記縦枠１、上横枠２、上横桟３に設けた嵌め込み凹部１２は前後方向の同じ位置に同じ大きさの凹として形成してある。
【００１５】
図３に示すように、上横枠２の下面の前後方向の略中間の上記嵌め込み凹部１２よりやや前位置、上横桟３の上面の前後方向の略中間の上記嵌め込み凹部１２よりやや前位置にそれぞれガラス嵌め込み用溝１６が設けてある。
【００１６】
戸当たり桟８は、桟本体部１８の一側部に凸部１３を一体に突設した長尺の桟部材により形成してある。添付図面に示す実施形態では、図４、図５に示すように桟本体部１８の前後巾よりも嵌め込み凸部１３の前後巾がせまくなっていて桟本体部１８の断面形状が凸断面形状となっているが、桟本体部１８の側部をそのまま嵌め込み凸部１３とした断面形状が長方形状であってもよい。また、戸当たり桟８の前面側には長手方向の全長にわたって弾性を有するクッション部１４が形成してあり、図４、図５の実施形態では弾性ひれ片によりクッション部１４を構成してある。
【００１７】
ガラス受け桟１０は、上記戸当たり桟８と同じ材料を目的とする長さに切断して形成してあるので、断面形状が上記戸当たり桟８と同じで、また、前面側には長手方向の全長にわたって弾性を有するクッション部１４が形成してある。
【００１８】
上記のような戸当たり桟８は、左右の縦の戸当たり桟８と、上の戸当たり桟８とがあり、それぞれドア枠部６における左右の縦枠１の嵌め込み凹部１２、上横桟３の下面の嵌め込み凹部１２にそれぞれ嵌め込み凸部１３を嵌着して取付ける（この場合、接着、釘や木ネジによる固着を併用する）。
【００１９】
また、ガラス受け桟１０は、左右の縦のガラス受け桟１０と、上のガラス受け桟１０と、下のガラス受け桟１０とがあり、それぞれ、ガラス窓枠部７における左右の縦枠１の嵌め込み凹部１２、上横枠２の下面の嵌め込み凹部１２と、上横桟３の上面の嵌め込み凹部１２にそれぞれ嵌め込み凸部１３を嵌着して取付ける。この場合のガラス受け桟１０の取付けは上記戸当たり桟８の取付けと同じ取付け方により取付けることができる。
【００２０】
このようにドア枠４に同一部材からなる戸当たり桟８とガラス受け桟１０とを取付けた後、ガラス窓枠部７の上横枠２の下面と、上横桟３の上面に形成したガラス嵌め込み用溝１６にガラス９の上下端部を嵌め込むようにしてガラス９を仮取付けする。ガラス９は左右長さが左右の縦枠１の内側面間の長さよりも短く、上下長さが上横枠２の下面と、上横桟３の上面間の長さよりも長いものが使用される。
【００２１】
この場合、上横枠２の下面と、上横桟３の上面に形成したガラス嵌め込み用溝１６の前後方向の溝巾はそれぞれガラス９の肉厚よりの少し巾広となっていてガラス９の上下端部を嵌め込んだ場合に前後方向に遊びを持たせてあり、また、図２のようにガラス９の上下端を上横枠２の下面と、上横桟３の上面に形成したガラス嵌め込み用溝１６に嵌め込んだ際に、ガラス９の上端と上のガラス嵌め込み用溝１６の溝底との間に隙間ができるようになっている。そして、先にガラス９の上端を上横枠２の下面のガラス嵌め込み用溝１６に挿入して上方に押し上げ、次に、ガラス９の下端を上横桟３上面のガラス嵌め込み用溝１６の上開口に対向させ、この状態でガラス９を下方に落とすという、いわゆる「けんどん式」により、図２のようにガラス９の上下端部を上横枠２と上横桟３に設けた上下のガラス嵌め込み用溝１６に嵌め込む。
【００２２】
このようにガラス９を上下のガラス嵌め込み用溝１６に嵌め込んで仮支持すると共にガラス受け桟１０の前面側に設けたクッション部１４にガラス９の後面端部を支持させた状態で、左右の縦枠１の内側面と上記ガラス９とのなすコーナ部分にモール材１１を配置して、モール材１１の外側面を縦枠１の内側面に当接すると共にモール材１１の後面をガラス９の前面の端部に当接させ、この状態で、固着具１５をガラス窓枠部７の前方から斜め後方に向けて打ち込んでガラス受け桟１０を縦枠１に固着して、モール材１１の後端面をガラス９の前面の端部に押接する。
【００２３】
つまり、図４の矢印イに示すように固着具１５をガラス窓枠部７の前方から斜め後方に向けて打ち込む（図４の実施形態ではねじを螺合することで打ち込む）ことで、モール材１１も図４の矢印イ方向に押されるようにして移動し、これによりモール材１１の外側面が縦枠１の内側面に強く押接してモール材１１が強固に縦枠１に取付けられ、また、モール材１１の後面がガラス９の前面の端部に強く押接して後面をクッション部１４で弾性的に支持されたガラス９をがたつきなく確実に支持することができる。
【００２４】
モール材１１の前面と内側面とのなすコーナ部分には固着具１５を斜めに打ち込むことができるように傾斜面１１ａとなっている。
【００２５】
なお、上記実施形態では左右の縦枠１に対してのみモール材１１を取付けたが、これに加え、上横枠２の下面とガラス９の前面とのなすコーナ部分、上横桟３とガラス９の前面とのなすコーナ部分にも上下の横向きのモール材１１を上記と同様にして取付けてもよいものである。
【００２６】
ドア枠４にはドア枠部６の左右の縦枠１の一方側にヒンジ１７によりドア５が開閉自在に取付けられる。このドア枠４の前後方向において、ドア５が取付けられる側は、上記モール材１１が取付けられる側と同じ側である。
【００２７】
図１はドアを閉じた状態のドア枠４の正面図であり、図２は背面図である。ここで、背面から見た場合、戸当たり桟８とガラス受け桟１０が同じ外観として見えるため、外観的な統一感を現出することができる。
【図面の簡単な説明】
【００２８】
【図１】本発明の正面図である。
【図２】同上の背面図である。
【図３】図１のＸ−Ｘ線の拡大断面図である。
【図４】図１のＹ−Ｙ線の拡大断面図である。
【図５】図１のＺ−Ｚ線の拡大断面図である。
【符号の説明】
【００２９】
１  縦枠
２  上横枠
３  上横桟
４  ドア枠
５  ドア
６  ドア枠部
７  ガラス窓枠部
８  戸当たり桟
９  ガラス
１０  ガラス受け桟
１１  モール材
１２  嵌め込み凹部
１３  嵌め込み凸部
１４  クッション部
１５  固着具
【図１】
0004840279.tif 000002
【図２】
0004840279.tif 000003
【図３】
0004840279.tif 000004
【図４】
0004840279.tif 000005
【図５】
0004840279.tif 000006